【手続補正書】
【提出日】平成18年6月13日(2006.6.13)
【手続補正１】
【補正対象書類名】特許請求の範囲
【補正対象項目名】全文
【補正方法】変更
【補正の内容】
【特許請求の範囲】
【請求項１】
データに応じて文書のレイアウトを変更することが可能な文書処理装置における文書処理方法であって、
フォントサイズから変更するのか、部分表示領域のサイズから変更するのかを示す優先順位を設定する設定工程と、
前記データが、当該データを流し込むべき部分表示領域に配置できるか否かを判定する判定工程と、
前記判定結果により、前記データを前記部分表示領域に配置できない場合は、前記設定工程によって当該部分表示領域に設定された優先順位の情報に従って、前記データのフォントサイズまたは当該部分表示領域のサイズを変更して、ページ上に当該データを配置する配置工程とを備えることを特徴とする文書処理方法。
【請求項２】
前記部分表示領域に関連づけた前記優先順位を示す情報を含む文書テンプレートを生成する生成工程を更に有することを特徴とする請求項１に記載の文書処理方法。
【請求項３】
前記文書テンプレートには、前記ページ上に配置される少なくとも２つの前記部分表示領域の接続を規定するリンク情報が含まれ、
前記配置工程は、当該リンク情報により接続する他の部分表示領域に対して、表示領域が重複しないように前記データを配置することを特徴とする請求項２に記載の文書処理方法。
【請求項４】
前記優先順位の情報には、前記データを表示するためのフォントサイズに関する第１情報と、前記部分表示領域のサイズに関する第２情報と、当該第１情報及び第２情報のいずれかを優先するかを指定する指定情報が含まれることを特徴とする請求項１乃至３のいずれか１項に記載の文書処理方法。
【請求項５】
前記配置工程は、前記フォントサイズに関する情報に従い、前記データのフォントサイズを変更することを特徴とする請求項１乃至４のいずれか１項に記載の文書処理方法。
【請求項６】
前記配置工程は、前記部分表示領域のサイズに関する情報に従い、当該部分表示領域の幅及び高さの少なくとも一方のサイズを変更することを特徴とする請求項１乃至４のいずれか１項に記載の文書処理方法。
【請求項７】
前記配置工程は、前記フォントサイズの変更と、前記部分表示領域のサイズに関する変更を、前記指定情報に従い優先順位を付けて実行することを特徴とする請求項１乃至６のいずれかに記載の文書処理方法。
【請求項８】
データに応じて文書のレイアウトを変更することが可能な文書処理装置であって、
フォントサイズから変更するのか、部分表示領域のサイズから変更するのかを示す優先順位を設定する設定手段と、
前記データが、当該データを流し込むべき部分表示領域に配置できるか否かを判定する判定手段と、
前記判定結果により、前記データを前記部分表示領域に配置できない場合は、前記設定手段によって当該部分表示領域に設定された優先順位の情報に従って、前記データのフォントサイズまたは当該部分表示領域のサイズを変更して、ページ上に当該データを配置する配置手段とを備えることを特徴とする文書処理装置。
【請求項９】
前記部分表示領域に関連づけた前記優先順位を示す情報を含む文書テンプレートを生成する生成手段を更に有することを特徴とする請求項８に記載の文書処理装置。
【請求項１０】
前記文書テンプレートには、前記ページ上に配置される少なくとも２つの前記部分表示領域の接続を規定するリンク情報が含まれ、
前記配置手段は、当該リンク情報により接続する他の部分表示領域に対して、表示領域が重複しないように前記データを配置することを特徴とする請求項９に記載の文書処理装置。
【請求項１１】
前記優先順位の情報には、前記データを表示するためのフォントサイズに関する第１情報と、前記部分表示領域のサイズに関する第２情報と、当該第１情報及び第２情報のいずれかを優先するかを指定する指定情報が含まれることを特徴とする請求項８乃至１０のいずれか１項に記載の文書処理装置。
【請求項１２】
前記配置手段は、前記フォントサイズに関する情報に従い、前記データのフォントサイズを変更することを特徴とする請求項８乃至１１のいずれか１項に記載の文書処理装置。
【請求項１３】
前記配置手段は、前記部分表示領域のサイズに関する情報に従い、当該部分表示領域の幅及び高さの少なくとも一方のサイズを変更することを特徴とする請求項８乃至１１のいずれか１項に記載の文書処理装置。
【請求項１４】
前記配置手段は、前記フォントサイズの変更と、前記部分表示領域のサイズに関する変更を、前記指定情報に従い優先順位を付けて実行することを特徴とする請求項８乃至１３のいずれかに記載の文書処理装置。
【請求項１５】
データに応じて文書のレイアウトを変更することが可能な文書処理をコンピュータに実行させる文書処理プログラムであって、当該プログラムが、コンピュータを、
フォントサイズから変更するのか、部分表示領域のサイズから変更するのかを示す優先順位を設定する設定手段と、
前記データが、当該データを流し込むべき部分表示領域に配置できるか否かを判定する判定手段と、
前記判定結果により、前記データを前記部分表示領域に配置できない場合は、前記設定手段によって当該部分表示領域に設定された優先順位の情報に従って、前記データのフォントサイズまたは当該部分表示領域のサイズを変更して、ページ上に当該データを配置する配置手段として機能させることを特徴とする文書処理プログラム。
【請求項１６】
前記文書処理プログラムは、前記コンピュータを、前記部分表示領域に関連づけた前記優先順位を示す情報を含む文書テンプレートを生成する生成手段として更に機能させることを特徴とする請求項１５に記載の文書処理プログラム。
【請求項１７】
前記文書テンプレートには、前記ページ上に配置される少なくとも２つの前記部分表示領域の接続を規定するリンク情報が含まれ、
前記配置手段は、当該リンク情報により接続する他の部分表示領域に対して、表示領域が重複しないように前記データを配置する処理を前記コンピュータに実行させることを特徴とする請求項１６に記載の文書処理プログラム。
【請求項１８】
前記優先順位の情報には、前記データを表示するためのフォントサイズに関する第１情報と、前記部分表示領域のサイズに関する第２情報と、当該第１情報及び第２情報のいずれかを優先するかを指定する指定情報が含まれることを特徴とする請求項１５乃至１７のいずれか１項に記載の文書処理プログラム。
【請求項１９】
前記配置手段は、前記フォントサイズに関する情報に従い、前記データのフォントサイズを変更する処理を前記コンピュータに実行させることを特徴とする請求項１５乃至１８のいずれか１項に記載の文書処理プログラム。
【請求項２０】
前記配置手段は、前記部分表示領域のサイズに関する情報に従い、当該部分表示領域の幅及び高さの少なくとも一方のサイズを変更する処理を前記コンピュータに実行させることを特徴とする請求項１５乃至１８のいずれか１項に記載の文書処理プログラム。
【請求項２１】
前記配置手段は、前記フォントサイズの変更と、前記部分表示領域のサイズに関する変更を、前記指定情報に従い優先順位を付けて前記コンピュータに実行させることを特徴とする請求項１５乃至２０のいずれか１項に記載の文書処理プログラム。
【請求項２２】
前記部分表示領域に入力されるデータのサイズと当該部分表示領域のレイアウト後のサイズとの差、および、当該部分表示領域と関連付けられている他の部分表示領域に入力されるデータのサイズと当該他の部分表示領域のレイアウト後のサイズとの差が小さくなるように、前記文書テンプレートにおける部分表示領域のサイズを調整する調整工程を更に有することを特徴とする請求項２乃至７のいずれか１項に記載の文書処理方法。
【請求項２３】
前記部分表示領域に入力されるデータのサイズと当該部分表示領域のレイアウト後のサイズとの差、および、当該部分表示領域と関連付けられている他の部分表示領域に入力されるデータのサイズと当該他の部分表示領域のレイアウト後のサイズとの差が小さくなるように、前記文書テンプレートにおける部分表示領域のサイズを調整する調整手段を更に有することを特徴とする請求項９乃至１４のいずれか１項に記載の文書処理装置。
【請求項２４】
前記部分表示領域に入力されるデータのサイズと当該部分表示領域のレイアウト後のサイズとの差、および、当該部分表示領域と関連付けられている他の部分表示領域に入力されるデータのサイズと当該他の部分表示領域のレイアウト後のサイズとの差が小さくなるように、前記文書テンプレートにおける部分表示領域のサイズを調整する調整手段として更にコンピュータを機能させることを特徴とする請求項１６乃至２１のいずれか１項に記載の文書処理プログラム。
【手続補正２】
【補正対象書類名】明細書
【補正対象項目名】００１２
【補正方法】変更
【補正の内容】
【００１２】
上記の課題を解決するための本発明にかかる、データに応じて文書のレイアウトを変更することが可能な文書処理装置における文書処理方法は、
フォントサイズから変更するのか、部分表示領域のサイズから変更するのかを示す優先順位を設定する設定工程と、
前記データが、当該データを流し込むべき部分表示領域に配置できるか否かを判定する判定工程と、
前記判定結果により、前記データを前記部分表示領域に配置できない場合は、前記設定工程によって当該部分表示領域に設定された優先順位の情報に従って、前記データのフォントサイズまたは当該部分表示領域のサイズを変更して、ページ上に当該データを配置する配置工程とを備えることを特徴とする。
【手続補正３】
【補正対象書類名】明細書
【補正対象項目名】００１３
【補正方法】変更
【補正の内容】
【００１３】
あるいは、上記の課題を解決するための本発明にかかる、データに応じて文書のレイアウトを変更することが可能な文書処理装置は、
フォントサイズから変更するのか、部分表示領域のサイズから変更するのかを示す優先順位を設定する設定手段と、
前記データが、当該データを流し込むべき部分表示領域に配置できるか否かを判定する判定手段と、
前記判定結果により、前記データを前記部分表示領域に配置できない場合は、前記設定手段によって当該部分表示領域に設定された優先順位の情報に従って、前記データのフォントサイズまたは当該部分表示領域のサイズを変更して、ページ上に当該データを配置する配置手段とを備えることを特徴とする。
【手続補正４】
【補正対象書類名】明細書
【補正対象項目名】００１４
【補正方法】変更
【補正の内容】
【００１４】
あるいは、上記の課題を解決するための本発明にかかる、データに応じて文書のレイアウトを変更することが可能な文書処理をコンピュータに実行させる文書処理プログラムであって、当該プログラムが、コンピュータを、
フォントサイズから変更するのか、部分表示領域のサイズから変更するのかを示す優先順位を設定する設定手段と、
前記データが、当該データを流し込むべき部分表示領域に配置できるか否かを判定する判定手段と、
前記判定結果により、前記データを前記部分表示領域に配置できない場合は、前記設定手段によって当該部分表示領域に設定された優先順位の情報に従って、前記データのフォントサイズまたは当該部分表示領域のサイズを変更して、ページ上に当該データを配置する配置手段として機能させることを特徴とする。